(57)【要約】【課題】放送サービス開始後、送信電力が段階的に増力される受信環境における安定受信と、ケーブル障害などに起因するブースターの誤制御による他の受信機の性能劣化回避を両立することができない。【解決手段】デジタル放送ネットワークにおいて、送信電力の増力情報を事前に取得し、その増力情報をもとに将来の受信電力の増加に対応できるように、受信機のチューナ部あるいはブースター部において入力信号を減衰させることにより、送信電力の増力時に受信システムへ接続された各受信機の入力信号レベルを最適化でき、かつケーブル障害の受信信号減少によるブースターの誤制御が生じない受信システムを提供することができる。【選択図】  図１
2004297542.tif 000002
【特許請求の範囲】
【請求項１】
デジタル放送ネットワークで使用する受信システムにおいて、送信電力の増力情報を事前に取得し、その増力情報をもとに将来の受信電力の増加に対応できるように、受信機のチューナ部あるいはブースター部の入力信号の強度を制限することを特徴とする受信システム。
【請求項２】
ブースター部の出力信号は、複数の受信機へ分配されることを特徴とする請求項１記載の受信システム。
【請求項３】
送信電力の増力が実施される日時、対象チャンネル、および増力後の送信電力などの制御情報が多重されるトランスポートストリームにデジタル変調を施した放送波用チャンネルが少なくとも１チャンネル以上存在するデジタル放送ネットワークで使用する受信システムにおいて、チューナからの制御により利得を可変可能とするブースターと、前記送信電力に関する制御情報を抽出する手段と、前記ブースターを制御する手段を有する受信機から構成されることを特徴とする請求項１または２記載の受信システム。
【請求項４】
制御部は、送信電力が増力される指定時刻の前後に取得した１つ以上のチャンネルの受信信号品質を比較し、送信電力増力後に前記受信信号品質が規定以上劣化した場合に、ブースター制御を発動し正常受信するように動作することを特徴とする請求項３記載の受信システム。
【請求項５】
受信信号品質は、ビットエラーレート、受信信号レベル、およびＣ／Ｎ比の内少なくとも１つ以上を使用して評価することを特徴とする請求項４記載の受信システム。
【請求項６】
アンテナで受信した高周波信号を入力信号とし、利得を外部の第一の制御信号により可変することが可能な増幅手段と、前記第一の制御信号を外部の第二の制御信号に応じて発生する第一の制御手段から構成されるブースター部と、前記ブースターの出力信号を必要なベースバンド信号へ変換する選局手段と、前記ベースバンド信号をデジタルデータへ変換する復調手段と、前記デジタルデータを映像用デジタルストリームと制御情報用デジタルストリームに分離するデータ分離手段と、前記制御情報用デジタルストリームから送信出力に関する情報を得るための制御情報抽出手段と、前記映像用デジタルストリームから表示用映像デジタルデータへ変換する復号手段と、前記復調手段の中間処理信号を利用し受信信号の品質指標を出力する受信品質評価手段と、前記品質指標に基づいて前記ブースターを制御する第二の制御手段から構成される受信部からなることを特徴とする請求項１〜５記載の受信システム。
【請求項７】
前記送信出力電力の増力情報を取得した後、操作指示をユーザーに通知し、ユーザーの指示により受信システムの最適化操作を行うことを特徴とする請求項１〜６記載の受信システム。
【請求項８】
ユーザーの指示により受信システムの最適化操作を実行しなかった場合、ユーザーサポートのため、電話回線などを利用し、最寄のサービスセンターへ、そのユーザー情報を通知することを特徴とする請求項７記載の受信システム。
【請求項９】
制御部は、送信電力が増力される指定時刻の前後に取得した１つ以上のチャンネルの受信信号品質を比較し、送信電力増力後に前記受信信号品質が規定以上劣化した場合に、送信信号の増力による悪影響が受信機に出ている事実を、ユーザーへ通知することを特徴とする請求項３記載の受信システム。
【発明の詳細な説明】
【０００１】
【発明の属する技術分野】
本発明は、放送電波信号を受け、映像および音声信号として出力する放送用受信システムに関し、特に放送信号、すなわち放送電波信号を増幅するブースターと受信機をから構成される受信システムに関するものであり、放送サービス開始後、送信電力が段階的に増力される受信環境において、安定した受信性能を維持することを目的とする。
【０００２】
【従来の技術】
受信電波が弱い放送波が存在する地域では、放送信号を増幅して受信機に供給するために、一般的にブースターが用いられている（例えば、特許文献１参照）。
【０００３】
図９に従来の放送用受信システムの構成を説明するためのブロック図を示す。受信機１０の内部には、制御および情報処理のためのマイクロコンピュータ１０１と、マイクロコンピュータ１０１に接続され、ＶＩＦ（映像中間周波数：ｖｉｄｅｏ  ｉｎｔｅｒｍｅｄｉａｔｅ  ｆｒｅｑｕｅｎｃｙ）増幅回路、およびＳＩＦ（音声中間周波数：ｓｏｕｎｄ  ｉｎｔｅｒｍｅｄｉａｔｅ  ｆｒｅｑｕｅｎｃｙ）増幅回路を有するチューナ１０２と、チューナ１０２に接続され、映像信号および音声信号を出力する映像・音声出力回路１０３と、マイクロコンピュータ１０１に外部からの外部制御信号を与える外部入力装置１０４とを備え、チューナ１０２には、放送電波の強弱により検波出力が変動するのを防ぐため、検波出力を受けて高周波（ＲＦ）増幅回路およびＶＩＦ増幅回路、ＳＩＦ増幅回路の利得を自動的に制御するＡＧＣ（自動利得制御）回路を備え、ＡＧＣ回路内に高周波（ＲＦ）増幅回路の利得を制御するためのＲＦ−ＡＧＣ電圧を出力する検出回路（ＲＦ−ＡＧＣ回路）１０５を有している。
【０００４】
また、マイクロコンピュータ１０１には、制御情報を記憶するＥＥＰＲＯＭ１０６が接続されている。受信機１０の内部には、放送信号を増幅してチューナ１０２に与えるブースター２０を備え、ブースター２０は、放送信号を増幅する増幅器２０１と、アンテナ３で捕らえた放送信号を、増幅器２０１を介してチューナ１０２に与える増幅経路、増幅器２０１を介さずにチューナ１０２に与えるスルー経路のどちらかに切り替えるスイッチ手段２０２を備えている。増幅器２０１のゲイン制御およびスイッチ手段２０２のスイッチング制御はマイクロコンピュータ１０１によって行われる。
【０００５】
なお、チューナ１０２と、映像信号および音声信号を出力する映像・音声出力回路１０３は、デジタル放送対応のブロックに置き換えることができ、デジタル受信機としても対応できる。
【０００６】
次に、放送受信装置１００の動作について説明する。ユーザーが、外部入力装置１０４（リモコン装置など）を操作して、所望の放送局を選択する。アンテナ３が放送電波を捉えて放送信号として出力を始めた段階では放送信号は増幅されずにチューナ１０２に与えられる。チューナ１０２では与えられた放送信号を検波し、ＡＧＣ回路により高周波（ＲＦ）増幅回路およびＶＩＦ増幅回路、ＳＩＦ増幅回路の利得を自動的に制御すると共に、ＲＦ−ＡＧＣ回路１０５からＲＦ−ＧＣ電圧をマイクロコンピュータ１０１に向けて出力する。
【０００７】
ここで検出回路（ＲＦ−ＡＧＣ回路）１０５の出力特性を図１０に示す。図１０において、横軸を放送電波の電波状態、縦軸を検出電圧（ＲＦ−ＡＧＣ電圧）として示す。検出回路（ＲＦ−ＡＧＣ回路）１０５は、検波出力を受けて高周波（ＲＦ）増幅回路の利得を制御するためのＲＦ−ＡＧＣ制御電圧を出力する回路であるので、図１０に示すように、検波出力が小さい場合、すなわち放送電波の電波状態が弱い場合には検出電圧（ＲＦ−ＡＧＣ電圧）を高く保ち、検波出力が大きくなった場合、すなわち放送電波の電波状態が強くなった場合には検波電圧（ＲＦ−ＡＧＣ電圧）を低下させる特性となる。そこで基準となる検出電圧（ＲＦ−ＡＧＣ電圧）を決定すれば、その電圧を達成する放送電波の強度を境として放送電波の電波状態の強弱を判定することが出来る。
【０００８】
マイクロコンピュータによるブースターの制御は次のようになる。電波状態が強いと判定されると、スイッチ手段２０２はスルー経路側に接続された状態に保たれる。一方電波状態が弱いと判定されると、スイッチ手段２０２を増幅経路側に接続するように切り替えて、ブースター２０をＯＮ状態にし、基準となる検出電圧（ＲＦ−ＡＧＣ電圧）になるように、増幅器２０１のゲイン制御を行う。
【０００９】
【特許文献１】
特開平８−２５６０７７号公報（第９頁第１図、第２図）
【００１０】
【発明が解決しようとする課題】
放送電波をアンテナで受け、アンテナ出力信号をブースターやケーブルにより各部屋へ分配している一戸建てなどの受信環境において、複数のテレビ受信機を接続していることを想定する。この受信環境に従来例に記載の受信システムを使用する（ブースターと複数のテレビ受信機の内の１台のテレビ受信機がその構成要素対象となる）と、周囲の立地条件の変化などによりアンテナへの到来電波の強度が大きくなる場合には、ブースターを制御するマスタ対象のテレビ受信機はその受信信号の増加を検出して、受信信号レベルを減少させるようにブースターの利得を下げるように制御する。
【００１１】
上記作用により、ブースターを制御するマスター対象のテレビ受信機だけでなく、他のテレビ受信機の入力信号レベルも最適化され、安定した受信性能を維持できる。一方、対象外のテレビ受信機の受信信号のレベルは安定しているが、ブースターを制御するマスター対象のテレビ受信機のみの受信信号レベルがケーブルの破損などによる障害のために弱くなると、テレビ受信機は受信信号レベルを大きくするためにブースターの利得を増幅するように制御する。その結果、受信信号レベルに変動のない、ブースターを制御するマスター対象以外のテレビ受信機の受信信号レベルが必要以上に増加し、受信機内部の増幅部が飽和を起こすことにより受信不能に陥る可能性がある。
【００１２】
これは、従来の受信システムにより構成された屋内配信のシステムでは、ブースターを制御するマスター対象受信機の受信状況によりブースターの利得を制御するので、送信電力が段階的に増力される受信環境における安定受信と、ケーブル障害などに起因するブースターの誤制御による他の受信機の性能劣化回避を両立することができない。
【００１３】
例えば、国内地上波放送のデジタル化においては、完全デジタル化に至るまでの期間はデジタル放送と既存のアナログ放送とのサイマル放送が実施され、サービス地域の送信電力を段階的に増力してデジタル放送の受信エリアを順次拡大していく施策がとられる。この移行期間に従来例の受信システムを利用し、アナログおよびデジタル対応テレビ受信機を複数接続して使用する場合などが問題となる。
【００１４】
【課題を解決するための手段】
前記課題を解決するために、本発明の受信システムは、送信電力の増力が実施される日時、対象チャンネル、および増力後の送信電力などの制御情報が多重されるトランスポートストリームにデジタル変調を施した放送波用チャンネルが少なくとも１チャンネル以上存在するデジタル放送ネットワークで使用する受信システムにおいて、チューナからの制御により利得を可変可能とするブースターと、前記送信電力に関する制御情報を抽出する手段と、前記ブースターを制御する手段を有する受信機から構成され、ブースターの出力信号は複数の受信機へ分配されることを特徴としたものである。
【００１５】
本発明によれば、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００１６】
また、前記課題を解決するために、本発明の受信システムは、送信電力の増力が実施される日時、および増力後の送信電力などの制御情報が多重されるトランスポートストリームにデジタル変調を施した放送波用チャンネルが少なくとも１チャンネル以上存在するデジタル放送ネットワークにおいて、チューナからの制御により利得を可変可能とするブースターと、前記送信電力に関する制御情報を抽出する手段と、前記ブースターを制御する手段を有する受信機から構成され、ブースターの出力信号は複数の受信機へ分配されるための出力用端子を有し、送信出力電力の増力情報を取得した後、操作指示をユーザーに通知し、ユーザーの指示により受信システムの最適化操作を行うことを特徴とする。
【００１７】
本発明によれば、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００１８】
【発明の実施の形態】
本発明の請求項１に記載の受信システム装置は、デジタル放送ネットワークで使用する受信システムにおいて、送信電力の増力情報を事前に取得し、その増力情報をもとに将来の受信電力の増加に対応できるように、受信機のチューナ部あるいはブースター部の入力信号の強度を制限することを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００１９】
本発明の請求項２に記載の受信システムは、前記請求項１に記載の受信システムにおいて、ブースター部の出力信号は、複数の受信機へ分配されることを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２０】
本発明の請求項３に記載の受信システムは、請求項１、２に記載の受信システムにおいて、送信電力の増力が実施される日時、対象チャンネル、および増力後の送信電力などの制御情報が多重されるトランスポートストリームにデジタル変調を施した放送波用チャンネルが少なくとも１チャンネル以上存在するデジタル放送ネットワークで使用する受信システムにおいて、チューナからの制御により利得を可変可能とするブースターと、前記送信電力に関する制御情報を抽出する手段と、前記ブースターを制御する手段を有する受信機から構成されることを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２１】
本発明の請求項４に記載の受信システムは、前記請求項３に記載の受信システムにおいて、制御部は、送信電力が増力される指定時刻の前後に取得した１つ以上のチャンネルの受信信号品質を比較し、送信電力増力後に前記受信信号品質が規定レベル以上劣化した場合に、ブースター制御を発動し正常受信するように動作することを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２２】
本発明の請求項５に記載の受信システムは、前記請求項４に記載の受信システムにおいて、受信信号品質は、ビットエラーレート、受信信号レベル、およびＣ／Ｎ比の内少なくとも１つ以上を使用して評価することを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２３】
本発明の請求項６に記載の受信システムは、前記請求項１、請求項２、請求項３、請求項４および請求項５に記載の受信システムにおいて、アンテナで受信した高周波信号を入力信号とし、利得を外部の第一の制御信号により可変することが可能な増幅手段と、前記第一の制御信号を外部の第二の制御信号に応じて発生する第一の制御手段から構成されるブースター部と、前記ブースターの出力信号を必要なベースバンド信号へ変換する選局手段と、前記ベースバンド信号をデジタルデータへ変換する復調手段と、前記デジタルデータを映像用デジタルストリームと制御情報用デジタルストリームに分離するデータ分離手段と、前記制御情報用デジタルストリームから送信出力に関する情報を得るための制御情報抽出手段と、前記映像用デジタルストリームから表示用映像デジタルデータへ変換する復号手段と、前記復調手段の中間処理信号を利用し受信信号の品質指標を出力する受信品質評価手段と、前記品質指標に基づいて前記ブースターを制御する第二の制御手段から構成される受信部からなることを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２４】
本発明の請求項７に記載の受信システムは、前記請求項１、２、３、４、５、および６に記載の受信システムにおいて、前記送信出力電力の増力情報を取得した後、受信システムの最適化操作に操作指示をユーザーに通知し、対応する操作手順を示すことを特徴とし、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【００２５】
本発明の請求項８に記載の受信システムは、前記請求項７に記載の受信システムにおいて、ユーザーの指示により受信システムの最適化操作を実行しなかった場合、ユーザーサポートのため、電話回線などを利用し、最寄のサービスセンターへ、そのユーザー情報を通知することを特徴とし、送信電力の増力時に受信システムの障害が発生した場合、瞬時にサポートに取り掛かれユーザーの不満を最小限に抑える受信システムを提供することができる。
【００２６】
本発明の請求項９に記載の受信システムは、請求項３に記載の受信システムにおいて、制御部は、送信電力が増力される指定時刻の前後に取得した１つ以上のチャンネルの受信信号品質を比較し、送信電力増力後に前記受信信号品質が規定以上劣化した場合に、送信信号の増力による悪影響が受信機に出ている事実を、ユーザーへ通知することを特徴とし、送信電力の増力時に受信システムの障害が発生した場合、ユーザーが受信不良要因を特定することができ、その後のサポートが効率的に行われる受信システムを提供することができる。
【００２７】
以下、図面を参照して本発明の実施の形態を詳細に説明する。
【００２８】
（発明の形態１）
以下に、本発明の請求項１、請求項２、請求項３、請求項４、請求項５、および請求項６に記載された発明の実施形態について、図１、図２、図３、図４、図７、図８を用いて説明する。
【００２９】
図１は本請求項の受信システムの構成図である。受信システムの主な構成は、ブースター３００と第一の受信機４００で構成され、ブースター３００の出力端子には第二の受信機５１０、および第三の受信機が接続されている。ブースター３００は、増幅部３１０と第一の制御部３２０を備え、増幅部３１０には、アンテナで受信した高周波テレビ信号を、第一の制御部３２０から出力される制御信号により利得を調整され、第一の受信機４００へ出力する。同時にケーブルで接続された第二の受信機５１０や第三の受信機５００へも出力する。第一の制御部３２０は第一の受信機４００内の第二の制御部４７０より制御信号を受けて制御信号を生成する。
【００３０】
第一の受信機４００は、ブースター３００からの信号を受け、希望チャンネルの信号を選局しベースバンド信号へ変換するチューナ部４１０と、ベースバンド信号からトランスポートストリーム（ＴＳ）のデジタル信号へ戻す復調部４２０と、トランスポートストリームを、映像・音声、データ放送や制御情報など種類によりパケット毎に分離するＴＳ分離部４３０と、分離後生成された映像・音声用デジタルストリームをデコードするＴＳ復号部４４０を備え、復調部４２０の中間処理信号を利用し受信信号の品質指標を生成する受信品質評価部４５０と、ＴＳ分離部４３０出力信号から必要なＰＳＩ／ＳＩ情報を抽出する制御情報抽出部４６０と、必要な情報を保存するための記憶部４８０と、第一の受信機の動作とブースターの利得制御を行う第二の制御部４７０を有する。また、チューナ部４１０と受信品質評価部４５０と、制御情報抽出部４６０と、記憶部４８０と、第二の制御部４７０は同一バスで接続されている。
【００３１】
次に、第二の制御部の動作について、受信環境として段階的に送信出力が増力される国内地上デジタル放送を例にとり説明する。図７に時系列に各放送局における送信出力の大きさ推移を示す。放送開始時（時刻Ａ）に１０Ｗ出力で送出され、増力化を決定した時点（時刻Ｂ）で、放送サービスエリアにおける各放送波信号のＳＩ（ｓｅｒｖｉｃｅ  ｉｎｆｏｒｍａｔｉｏｎ）へ増力化についての告知情報を多重する。
【００３２】
図８は、時刻Ｂ〜時刻Ｃの間の放送局の送信データ内容についての説明図である。放送局Ａのチャンネルは１３ｃｈ、放送局Ｂのチャンネルは１４ｃｈ、放送局Ｃのチャンネルは１５ｃｈである。この期間、全チャンネルの放送信号には告知情報が記述されたＳＩが多重される。
【００３３】
増力化に対する告知情報の内容は増力化に関する詳細情報を放送するチャンネル番号（エンジニアリングチャンネルと呼称）と、その放送実施期間である。ここでは説明簡略化のため、増力化告知期間（時刻Ｂ〜時刻Ｃ）と同期間としている。すなわち、増力化告知されている間は常に、エンジニアリングチャンネルには増力化に関する詳細情報が多重されている。この増力化に関する詳細情報は、増力化対象送信局のチャンネル番号と、増力比（あるいは増力前後の送信出力）と、増力化の実施予定時刻などである。ここでは、対象チャンネル番号は１３ｃｈで、増力比は１０ｄＢ（１０Ｗ→１００Ｗ）、増力の実施予定時刻は時刻Ｃとなる。時刻Ｃで１００Ｗに増力化した後、先ほどと同様なルールで１ｋＷへの増力化が実施される。
【００３４】
以上のような受信環境における第二の制御部の動作の説明を図２、図３、図４を用いて説明する。図２は図６の時刻Ａから時刻Ｃの期間における制御の説明図である。ステップ１００では１５ｃｈ（あるいは、１３ｃｈ、１４ｃｈ）のチャンネル選局している状態である。この時、時刻Ａから時刻Ｂの場合には、送信出力の増力化予定がないので、ステップ１１０ではＮＯへ分岐するのみである。これが時刻Ｂから時刻Ｃの場合には、増力化告知の情報が放送波に多重されているので、ステップ１１０ではＹＥＳへ分岐し、現在のチャンネルがエンジニアリングチャンネル（１３ｃｈ）の場合には、ステップ１２０でチャンネル変更せずステップ１４０の増力情報抽出処理へ移る。
【００３５】
一方、現在のチャンネルがエンジニアリングチャンネル以外（１４ｃｈ、１５ｃｈ）の場合には、ステップ１２０にて対象チャンネル（＝エンジニアリングチャンネル）選局するように分岐し、増力情報を抽出する。そして、将来の増力化準備のためステップ１５０にて、抽出した情報をメモリーへ保存する。本処理はユーザーが番組を視聴していない時間に実行するものとする。
【００３６】
次に、前記処理にて増力情報をメモリーへ保存した後から時刻Ｃの期間における処理について図３を用いて説明する。ステップ２００では、第一の実施時刻の範囲にはいると、すなわち時刻Ｃ−α〜時刻Ｃの期間は増力化に対する事前処理を行う。ステップ２１０では増力化対象のチャンネル（１３ｃｈ、１４ｃｈ、１５ｃｈ）を選局する。そして、ステップ２２０では、対象チャンネルのビットエラーレート、および受信電界レベルを測定し、ステップ２３０で対象チャンネルに関連付けてビットエラーレートと受信電界レベルをメモリーへ保存する。期間を表すαは必要に応じて受信機設計者が変更するものとする。本処理はユーザーが番組を視聴していない時間に実行するものとする。
【００３７】
次に、前記処理後から時刻Ｃ＋βの期間の処理について図４を用いて説明する。ステップ３００では、増力化が実施される時刻Ｃになると、増力化に対応した処理を開始する。まずステップ３１０では、ステップ２１０にて選局したチャンネルを対象チャンネルとして選局し、ステップ３２０で、ビットエラーレート、および受信電界レベルを測定する。ステップ３３０では、増力化の確認を行う。具体的方法は、ステップ３２０で取得した受信電界レベルの値とステップ２３０で保存してあるチャンネルに関連付けられた受信電界レベルの値との相対値が、送信出力の増力比相当であるかを評価することにより判定可能である。
【００３８】
増力を確認できた場合には、ＹＥＳへ分岐し、ステップ３４０の受信品質確認へ移る。具体的には、ステップ３２０で測定したビットエラーレートが、映像デコード不可能な値、あるいは設計者の設定閾値より上回った場合には、受信品質ＮＧと判定しＹＥＳへ分岐する。ステップ３５０のブースター制御処理では、ブースターの利得を下げる方向に固定ステップずつ制御し、その都度ステップ３７０にてＢＥＲ測定を行い、ステップ３４０の受信品質判定で、ＮＯへ分岐するまで、ブースター利得を下げる。
【００３９】
ステップ３３０でＮＯと判定された場合、増力化されていないと判断して処理を終了する。この場合、電波が停波している時間帯に動作した可能性もあることも考慮し、再トライを行う。また、ステップ３４０でＮＯと判定された場合には、増力化による受信品質の悪影響はないとの判断から、処理を終了する。以降の増力化に対する処理（１００Ｗから１ｋＷへの増力化）も上記説明と同様の動作を行う。
【００４０】
なお、ステップ３４０での受信品質判定では、ステップ３２０で取得したビットエラーレートの値とステップ２３０で保存してあるチャンネルに関連付けられたビットエラーレートの値との相対比で、以前の値より大きくなれば受信品質ＮＧと判定することも可能である。
【００４１】
なお、ステップ３３０の増力確認、およびステップ３４０の受信品質確認は、複数チャンネルの情報を使って制御の信頼性を向上することも可能である。その際には、ステップ２１０とステップ２２０とステップ２３０とを対象チャンネル数分行い、またステップ３１０とステップ３２０も同様に対象チャンネル分行うことは言うまでもない。
【００４２】
（発明の形態２）
以下に、本発明の請求項７に記載された発明の実施形態について説明する。受信機構成は上記形態１と同様である。第二の制御部の動作についても、上記形態１の説明に使用した受信環境と同様である。制御の動作でことなる点のみを図を用いて説明する。
【００４３】
図５は、増力化に対する事前処理後、時刻Ｃから時刻Ｃ＋βの期間の処理についての処理である。ステップ３００では、増力化が実施される時刻Ｃになると、増力化に対応した処理を開始する。ステップ４００で、増力化に伴う受信状況変化についての説明を画面表示する。その後、ステップ４１０で、増力化に対する受信機の自動調整の指示を待つ、ＹＥＳの場合には、ステップ３１０へ遷移し、上記発明の形態１と同様の処理を実行する。同処理のため説明は割愛する。ＮＯの場合には、処理を終了する。増力化に伴う調整はユーザー側にて対応することになる。
【００４４】
なお、ユーザーサポートのため、ステップ３６０の処理終了と連係し、電話回線を利用し、最寄のサービスセンターへ、そのユーザー情報の自動連絡を行うことも可能である。
【００４５】
（発明の形態３）
以下に、本発明の請求項９に記載された発明の実施形態について説明する。受信機構成は上記形態１と同様である。第二の制御部の動作についても、上記形態１の説明に使用した受信環境と同様である。制御の動作でことなる点のみを図を用いて説明する。
【００４６】
図６は、増力化に対する事前処理後、時刻Ｃから時刻Ｃ＋βの期間の処理についての処理である。ステップ３００では、増力化が実施される時刻Ｃになると、増力化に対応した処理を開始する。ステップ３４０の受信品質確認において、受信品質が悪くＹＥＳへ分岐しステップ５００へ遷移する。ステップ５００では、送信局の増力化に対する影響で受信状況が劣化しているという事実を、ユーザーへ通知し、対応方法などを画面表示する。ステップ３４０の判定結果が、ＮＯの場合には、処理を終了する。増力化に伴う調整はユーザー側にて対応することになる。
【００４７】
【発明の効果】
以上のように、本発明の受信システムによれば、事前に受信した送信電力の増力情報によりブースターの制御タイミングを設定、受信品質の劣化状況によりブースターの制御実行の判断を行うことにより、送信電力の増力時に受信システムへ接続された各受信機の入力信号レベルを最適化でき、かつケーブル障害の受信信号減少によるブースターの誤制御が生じない受信システムを提供することができる。
【図面の簡単な説明】
【図１】請求項１〜８における受信システム構成図
【図２】本発明の形態１における受信システムの制御フロー説明図
【図３】本発明の形態１における受信システムの制御フロー説明図
【図４】本発明の形態１における受信システムの制御フロー説明図
【図５】本発明の形態２における受信システムの制御フロー説明図
【図６】本発明の形態３における受信システムの制御フロー説明図
【図７】本発明の形態１、２、３における受信環境説明図
【図８】本発明の形態１、２、３における受信環境説明図
【図９】従来例の構成図
【図１０】従来例の電力検出特性図
【符号の説明】
３  アンテナ
１０  受信機
２０  ブースター
１０１  マイコン
１０２  チューナ
１０３  映像・音声出力回路
１０４  外部入力装置
１０５  検出回路
１０６  ＥＥＰＲＯＭ
２０１  増幅器
２０２  スイッチ手段
３００  ブースター
３１０  増幅部
３２０  第一の制御部
４００  第一の受信機
４１０  チューナ部
４２０  復調部
４３０  ＴＳ分離部
４４０  ＴＳ復号部
４５０  受信品質評価部
４６０  制御情報抽出部
４７０  第二の制御部
４８０  記憶部
５００  第三の受信機
５１０  第二の受信機
【図１】
2004297542.tif 000003
【図２】
2004297542.tif 000004
【図３】
2004297542.tif 000005
【図４】
2004297542.tif 000006
【図５】
2004297542.tif 000007
【図６】
2004297542.tif 000008
【図７】
2004297542.tif 000009
【図８】
2004297542.tif 000010
【図９】
2004297542.tif 000011
【図１０】
2004297542.tif 000012